(57)【要約】【課題】従来のグリップ握持用手袋において、手袋平側内面に滑り止め加工を施したものはなく、従って手袋を装着してゴルフクラブをスイングしたときに、手の平面が手袋の手平材に対して位置ずれすることがある。【解決手段】手袋１の手平材２におけるグリップを握持したときに該グリップに接触する部分の内面に滑り止め加工部１０を設けることにより、手袋を装着してグリップを握持したときに、手の平面が滑り止め加工部１０に圧接状態で密着し、それによって手の平面と手袋の手平材２部分とが位置ずれしない（滑らない）ようにしている。【選択図】      図１
2004197264.tif 000002
【特許請求の範囲】
【請求項１】
手平材（２）におけるグリップ（Ｇ）を握持したときに該グリップ（Ｇ）に接触する部分の内面に滑り止め加工部（１０）を設けたことを特徴とするグリップ握持用手袋。
【発明の詳細な説明】
【０００１】
【発明の属する技術分野】
本願発明は、例えばゴルフクラブやテニスラケットや野球バット等のグリップ、あるいはオートバイのハンドルグリップ等を握持するときに使用するグリップ握持用手袋に関するものである。
【０００２】
【従来の技術】
例えば、ゴルフ競技においては、図６に示すように手袋１を装着した手でゴルフクラブのグリップＧを握持してスイングするが、その際、グリップＧの表面と手の平面とが位置ずれしない（滑らない）ようにすることが好ましい。
【０００３】
従来から、この種のグリップ握持用手袋（例えばゴルフ用手袋）において、例えば特許文献１〜３に示されるように、手袋平側の外面に滑り止め加工を施したものが多数見受けられる。そして、このように、手袋平側の外面に滑り止め加工を施したものでは、手袋を装着してグリップを握持したときに、手袋外面とグリップ表面との密着度（摩擦力）が増大し、手袋がグリップ表面に対して滑らないようになる。
【０００４】
ところで、ゴルフクラブやテニスラケットのグリップ、あるいはオートバイのハンドルグリップ等の表面には、摩擦力の大きい滑り止め材料を使用したり粗面化（凹凸化）による滑り止め加工を施したりして、グリップ側の滑り止め機能を充実させている。従って、近年のこの種のグリップでは、手袋を装着して握持したときに、手袋がグリップ表面に対して滑るという問題はほとんど解消されている。
【０００５】
【特許文献１】
実開平５−８４３６３号公報
【特許文献２】
登録実用新案第３０１０９５９号公報
【特許文献３】
登録実用新案第３０６２５７９号公報
【０００６】
【発明が解決しようとする課題】
ところが、この種のグリップ握持用手袋において、手袋平側外面とグリップ表面との間の滑り止めは確保されているものの、手袋平側の内面には特に滑り止め加工を施したものはない。従って、手袋を装着して例えばゴルフクラブのグリップＧを握持してスイングしたときに、手袋外面とグリップ表面とは滑らないものの、手の平面が手袋生地（平側内面）に対して位置ずれすることがある。特に、手袋生地が布地であったり、あるいはグリップに対する握力が弱い場合には、手の平面が手袋生地に対して滑り易くなる。
【０００７】
そして、このように、スイング時（特にインパクト時）に手の平面が手袋生地から滑ると、手とグリップとの位置関係が微妙にずれてしまい（クラブヘッドのフェイス面の角度が微妙に変わる）、プレイに悪影響を及ぼすおそれがあるとともに、手袋が手に対して位置変化する（捩れる）という問題が生じる。
【０００８】
本願発明は、上記事情に鑑み、手袋平側内面が手に対して滑りにくくなるようにしたグリップ握持用手袋を提供することを目的としている。
【０００９】
【課題を解決するための手段】
本願発明は、上記課題を解決するための手段として次の構成を有している。尚、本願発明は、例えばゴルフクラブやテニスラケットや野球バット等のグリップ、あるいはオートバイのハンドルグリップ等を握持するときに使用するグリップ握持用手袋を対象にしている。
【００１０】
そして、本願発明のグリップ握持用手袋は、手平材におけるグリップを握持したときに該グリップに接触する部分の内面に滑り止め加工部を設けたことを特徴としている。
【００１１】
滑り止め加工部に使用される滑り止め材としては、例えばシリコンやゴムのような柔軟で摩擦力の大きい材質の薄シート材が使用できる。この薄シート材は、手袋の手平材内面に接着剤で接着させたり、あるいは手平材内面に縫付けることで取付けることができる。又、この滑り止め加工部は、手平材内面に対して滑り止め材（シリコンやゴム等）を多数の点状に接着させたものでもよい。さらに、この滑り止め加工部は、手平材内面の一部（例えば手のひら部分の一部）に設けたものでも、手平材内面の全面（各指平材を含む）に設けたものでもよい。尚、本願のグリップ握持用手袋には、手平材の外面にも滑り止め加工部を設けることができる。
【００１２】
そして、本願のグリップ握持用手袋を装着して、例えばゴルフクラブのグリップを握持すると、手の平面が手平材内面の滑り止め加工部に圧接状態で密着するので、該手の平面が手袋の手平材に対して滑りにくくなる。
【００１３】
【発明の効果】
このように、本願発明のグリップ握持用手袋では、手に装着してグリップを握持したときに、手の平面が手平材内面の滑り止め加工部に密着して、該手と手平材とが滑りにくくなり、手の平面と手袋の手平材とグリップとが一体化する。従って、例えばゴルフクラブをスイングする際に、手とグリップとが位置ずれしなくなる（ミスショットが少なくなる）とともに、手袋が手に対して捩れにくくなって、装着感が良好になるという効果がある。
【００１４】
【発明の実施の形態】
図１〜図５を参照して本願実施形態のグリップ握持用手袋を説明すると、図１〜図３には第１実施形態、図４には第２実施形態、図５には第３実施形態が示されている。尚、この各実施形態では、グリップ握持用手袋としてゴルフ用手袋が採用されているが、他の実施形態では、テニス用や野球のバッティング用、あるいはオートバイ用の手袋にも適用できる。
【００１５】
図１〜図３に示す第１実施形態の手袋１は、手平材２と手甲材３と親指袋材４と複数のマチ材５，５・・とを通常の縫合方法で手袋形状に縫製して製作されている。尚、手袋生地としては、皮革、合成皮革、布地等を単独あるいは組み合わせて使用できる。
【００１６】
手平材２は、この実施形態では、図３に示すように、掌部２１と親指袋を除く４指の指平部２２，２２・・とを一体裁断したものを使用している。尚、図３において、符号２３は親指袋４の取付け用の穴である。
【００１７】
この手袋１には、手平材２の内面２ａの一部に薄シート材１１からなる滑り止め加工部１０を設けている。この滑り止め加工部１０の薄シート材１１には、例えばシリコン又はゴム等の柔軟で摩擦力の大きい材質が採用されている。
【００１８】
この第１実施形態では、薄シート材１１は、指長さ方向が４〜５cm、幅方向が３〜４cm程度の面積のものを使用している。尚、この薄シート材１１の大きさは、特に限定するものではなく、適宜の大きさのものを採用できる。そして、この薄シート材１１は、手平材掌部２１における小指寄り側で且つ手首寄り位置に縫付けあるいは接着剤による接着によって取付けている。そして、この手袋１を装着してグリップＧ（図６）を握持したときには、該薄シート材１１が図２に示すように手Ｈの平面ＨａとグリップＧとの間に挟まれるようになっている。尚、この薄シート材１１は、図３に示すように、予め手平材２の内面２ａ側の所定位置に取付けておき、該薄シート材１１付きの手平材２を他の材料と縫合して手袋１を製作する。
【００１９】
この第１実施形態の手袋（ゴルフ用手袋）１では、手に装着して例えばゴルフクラブのグリップＧを握持すると、図２に示すように、手Ｈの平面Ｈａが手平材内面２ａの滑り止め加工部１０（薄シート材１１）に圧接状態で密着するので、手の平面Ｈａが手袋の手平材２に対して滑りにくくなる。従って、手の平面Ｈａと手袋の手平材２とグリップＧとが一体化し、例えばゴルフクラブをスイングする際に、手ＨとグリップＧとが位置ずれしなくなる（ミスショットが少なくなる）とともに、手袋１が手Ｈに対して捩れにくくなって、装着感が良好になる。
【００２０】
図４に示す第２実施形態のグリップ握持用手袋１では、第１実施形態の滑り止め加工部１０（薄シート材１１）に加えて、親指袋部分を除く他の各指平部２２，２２・・の付け根部分にも滑り止め加工部１０（薄シート材１２）を設けている。尚、各指平部２２，２２・・の付け根部分の薄シート材１２も、手平材２の内面に縫着あるいは接着剤で接着させている。この手平材２における各指平部２２，２２・・の付け根部分は、この手袋１を装着してグリップを握持したときに、該グリップ表面に強く圧接される部分であり、この部分にも滑り止め加工部１０を設けると、手の平面と手平材２との滑り止め機能をより一層増大させることができる。
【００２１】
図５に示す第３実施形態のグリップ握持用手袋１では、滑り止め加工部１０（薄シート材１３）を手平材２の内面のほぼ全面に取付けている。即ち、薄シート材１３は、手平材２の掌部２１に対応する面積の掌部対応部１３ａと、各指平部（４指）２２，２２・・にそれぞれ対応する面積の各指平部対応部１３ｂ，１３ｂとを一体裁断したものを使用している。この図５のように、薄シート材１１を手平材２のほぼ全面に設けると、手の平面と手平材２との滑り止め機能をさらに高めることができるが、滑り止め用の薄シート材１１（高価である）が多量に必要となるという、若干の難点がある。
【図面の簡単な説明】
【図１】本願第１実施形態のグリップ握持用手袋を平側から見た平面図である。
【図２】図１のII−II拡大断面図である。
【図３】図１の手袋の手平材部分を内面側から見た平面図である。
【図４】本願第２実施形態のグリップ握持用手袋を平側から見た平面図である。
【図５】本願第３実施形態のグリップ握持用手袋を平側から見た平面図である。
【図６】手袋を装着してグリップを握持している状態図である。
【符号の説明】
１は手袋、２は手平材、２ａは内面、１０は滑り止め加工部、１１〜１３は薄シート材である。
【図１】
2004197264.tif 000003
【図２】
2004197264.tif 000004
【図３】
2004197264.tif 000005
【図４】
2004197264.tif 000006
【図５】
2004197264.tif 000007
【図６】
2004197264.tif 000008